(57)【要約】【課題】    ゴルフ練習者の身体に装着し又は身体から離れた場所に設置して使用することができ、身体に装着して使用する際、直線状のライン認識バーが常に安定した状態で眼前に配置され、ゴルフ練習者が常に正確なラインを視覚により認識することができるゴルフ練習器具を提供する。【解決手段】ゴルフ練習者の両耳に装着できる耳掛けイヤホン型の形態を有する一対の耳当接部材１０を備え、各耳当接部材１０に耳装着時においてゴルフ練習者の視線正面方向に平行に突出する一対の線状支持部材３０を取付け、各線状支持部材３０の先端部に直線状のライン認識バー４０を橋架せしめた。【選択図】  図１
2006187389.tif 000002
【特許請求の範囲】
【請求項１】
ゴルフ練習者の両耳に装着できる耳掛けイヤホン型又はヘッドホン型の形態を有する一対の耳当接部材を備え、前記各耳当接部材に耳装着時においてゴルフ練習者の視線正面方向に平行に突出する一対の線状支持部材を取付け、前記各線状支持部材の先端部に直線状のライン認識バーを橋架せしめたことを特徴とするゴルフ練習器具。
【請求項２】
前記各線状支持部材の先端部に一対の係合部を設け、前記各係合部に耳装着時において前記各線状支持部材間の距離よりも長くなるように形成した前記ライン認識バーの両端部を摺動自在に挿着せしめたことを特徴とする請求項１に記載のゴルフ練習器具。
【請求項３】
前記各線状支持部材の先端部をゴルフ練習者の視線正面方向に伸縮可能な部材により伸縮自在に形成し、ゴルフ練習者の目の位置と前記ライン認識バーの間の距離を調整することを特徴とする請求項１又は請求項２に記載のゴルフ練習器具。
【請求項４】
前記各線状支持部材の後端部を回転自在の部材を備えた角度調整部材を介して前記各耳当接部材に取付け、ゴルフ練習者の視線角度を調整することを特徴とする請求項１乃至請求項３に記載のゴルフ練習器具。
【請求項５】
前記ライン認識バーの両端部を両側方向に伸縮可能な部材により伸縮自在に形成し、ゴルフ練習者に視覚されるライン方向の直線範囲を調整することを特徴とする請求項１乃至請求項４に記載のゴルフ練習器具。
【請求項６】
請求項１乃至請求項５に記載のゴルフ練習器具を地面に設置するための台座であって、前記台座の両端部に前記各耳当接部材を装着する一対の係合部を形成し、請求項１乃至請求項５に記載のゴルフ練習器具を身体から離した状態においても使用可能としたゴルフ練習器具用台座。
【発明の詳細な説明】
【技術分野】
【０００１】
本発明は、ゴルフ練習において目標物とボールを直線で視覚する感覚認識を訓練するためのゴルフ練習器具に関する。
【背景技術】
【０００２】
従来から、ゴルフ練習器具として様々なものが提案されている。ゴルフ練習に用いられるライン認識に関する器具に関し、特開平５−３０９１５３号公報には、ゴルフ用パター練習において眼前に設置した目測バーの投影像を床面に表示させる「パターの目測用器具」が開示されている（特許文献１）。
【０００３】
【特許文献１】特開平５−３０９１５３号公報
【０００４】
上記先行技術文献に開示された発明は、「支持具の下面にバー取付枠を垂直に設け、このバー取付枠の下端部に、水平状の目測バーを設けたこと」を特徴とし、これにより、床面に視線を透かした目測バーの投影像が映しだされ、ホールカップなどの目標物とボールを直線で視覚することができるという効果を奏するものである。
【０００５】
しかし、上記発明では、「支持具」を利用して帽子のひさしやサンバイザーの鍔等に取付けるものであるため、取付ける箇所の形状・大きさによっては安定した状態で眼前に配置することが困難であるばかりでなく、練習中に帽子やサンバイザーが少しでもずれると正確なラインを視覚により認識することが困難になるという問題を有している。
【０００６】
また、上記発明では、「水平状の目測バー」によって目標物とボールを直線で視覚する場合、目測バーは垂直に設けられたバー取付枠に単に固定されているため、ゴルフ練習者の目の位置と目測バーの間の距離やゴルフ練習者の視線角度やゴルフ練習者に視覚されるライン方向の直線範囲を適宜調整することができないので、使用状況によってはゴルフ練習者が正確なラインを視覚により認識することができないという問題も有している。
【０００７】
さらに、上記発明では、ゴルフ練習者の身体に装着することが必須条件となるため、身体から離れた場所に設置して使用することはできない。
【発明の開示】
【発明が解決しようとする課題】
【０００８】
そこで、本発明は、以上のような問題の解決を図り、ゴルフ練習者の身体に装着し又は身体から離れた場所に設置して使用することができるとともに、身体に装着して使用する際、直線状のライン認識バーが常に安定した状態で眼前に配置され、ゴルフ練習者が常に正確なラインを視覚により認識することができるゴルフ練習器具を提供することを目的とする。
【課題を解決するための手段】
【０００９】
上記課題を解決するために、請求項１に記載の発明は、ゴルフ練習者の両耳に装着できる耳掛けイヤホン型又はヘッドホン型の形態を有する一対の耳当接部材を備え、前記各耳当接部材に耳装着時においてゴルフ練習者の視線正面方向に平行に突出する一対の線状支持部材を取付け、前記各線状支持部材の先端部に直線状のライン認識バーを橋架せしめた構成を採用したのである。
【００１０】
また、請求項２に記載の発明は、請求項１に記載の発明において、前記各線状支持部材の先端部に一対の係合部を設け、前記各係合部に耳装着時において前記各線状支持部材間の距離よりも長くなるように形成した前記ライン認識バーの両端部を摺動自在に挿着せしめたことを特徴とする。
【００１１】
また、請求項３に記載の発明は、請求項１又は請求項２に記載の発明において、前記各線状支持部材の先端部をゴルフ練習者の視線正面方向に伸縮可能な部材により伸縮自在に形成し、ゴルフ練習者の目の位置と前記ライン認識バーの間の距離を調整することを特徴とする。
【００１２】
また、請求項４に記載の発明は、請求項１乃至請求項３に記載の発明において、前記各線状支持部材の後端部を回転自在の部材を備えた角度調整部材を介して前記各耳当接部材に取付け、ゴルフ練習者の視線角度を調整することを特徴とする。
【００１３】
また、請求項５に記載の発明は、請求項１乃至請求項４に記載の発明において、前記ライン認識バーの両端部を両側方向に伸縮可能な部材により伸縮自在に形成し、ゴルフ練習者に視覚されるライン方向の直線範囲を調整することを特徴とする。
【００１４】
さらに、請求項６に記載の発明は、請求項１乃至請求項５に記載の発明にかかるゴルフ練習器具を地面に設置するための台座であって、前記台座の両端部に前記各耳当接部材を装着する一対の係合部を形成し、請求項１乃至請求項５に記載の発明にかかるゴルフ練習器具を身体から離した状態においても使用可能としたのである。
【発明の効果】
【００１５】
以上のように、請求項１にかかる発明によれば、耳掛けイヤホン型又はヘッドホン型の形態を有する一対の耳当接部材をゴルフ練習者の両耳に装着するだけで、ゴルフ練習者は常に安定した状態で眼前に配置された直線状のライン認識バーにより所定の目標物とボールを直線で視覚する感覚認識を訓練することができる。また、装着時には一対の耳当接部材がゴルフ練習者の両耳を塞ぎ聴覚を遮断することになるので、練習中感覚を視覚及び触覚に一層集中できることになる。
【００１６】
また、請求項２にかかる発明によれば、耳装着時において一対の線状支持部材間の距離よりも長くなるように形成したライン認識バーの両端部を摺動自在に挿着せしめたことにより、ゴルフ練習者の顔幅に合わせて間隔を容易に調整することができるので、顔にぴったりとフィットした状態で使用することができる。
【００１７】
また、請求項３にかかる発明によれば、ゴルフ練習者の目の位置とライン認識バーの間の距離を容易に調整することができるので、ゴルフ練習者は常に正確なラインを視覚により認識することができる。
【００１８】
また、請求項４にかかる発明によれば、ゴルフ練習者の視線角度を容易に調整することができるので、ゴルフ練習者は常に正確なラインを視覚により認識することができる。
【００１９】
また、請求項５にかかる発明によれば、ゴルフ練習者に視覚されるライン方向の直線範囲を容易に調整することができるので、ゴルフ練習者はラインの方向性を視覚により確実に認識することができる。
【００２０】
さらに、請求項６にかかる発明によれば、ゴルフ練習器具を地面に設置する台座に装着することにより、身体に装着しなくてもライン取りの練習などに利用することができる。
【発明を実施するための最良の形態】
【００２１】
以下、本発明の実施の一形態について、図面を参酌しながら説明する。
【００２２】
図１は本発明にかかるゴルフ練習器具の実施形態の一例を示す斜視図である。また、図２は図１に示すゴルフ練習器具の平面図、図３は図１に示すゴルフ練習器具の側面図である。
【００２３】
図１乃至図３に示すように、ゴルフ練習器具は、ゴルフ練習者の両耳に装着できる耳掛けイヤホン型の形態を有する一対の耳当接部材１０を備えている。この耳当接部材１０は、耳当て部１１とそれに軸着された耳掛け部１２とから構成され、耳掛け部１２の回転軸を中心にして耳当て部１１が内側に、耳掛け部１２が外側に回転し、耳装着時に耳をしっかりと挟持できるように、軸着部分にバネ等の付勢手段（図示省略）を設けておくことが好ましい。なお、耳当接部材１０の形態は本実施例で示すものに限定されるものではなく、ゴルフ練習者の両耳に安定した状態で装着することができる形態（ヘッドホン型など）を適宜採用することができる。また、ゴルフ練習器具を身体に装着する手段としては、上述したようなゴルフ練習者の両耳に装着する耳当接部材１０を備える代わりに、ゴルフ練習者の頭部又は顔部に安定した状態で装着することができる部材を備えることが考えられる。即ち、身体に装着して使用する際、後述するライン認識バー４０が常に安定した状態で眼前に配置されるものであればよい。
【００２４】
耳装着時においてゴルフ練習者の視線正面方向に平行に突出する一対の線状支持部材３０は、角度調整部材２０を介して耳当接部材１０に取付けられている。角度調整部材２０の基部２１は、耳当接部材１０の耳掛け部１２の回転軸の下端部に軸着され、基部２１の一側面には線状支持部材３０の後端部が取付けられる回転部２２が設けられている（図３参照）。回転部２２は、例えば、ダイヤル式で回転し、線状支持部材３０の角度を任意に調整できるものであればよい。これにより、ゴルフ練習者の視線角度を容易に調整することができる。
【００２５】
図１及び図２に示すように、線状支持部材３０の先端部にライン認識バー４０が橋架されている。線状支持部材３０の先端部には、一対の係合部３２が設けられ、耳装着時において各線状支持部材３０間の距離よりも長くなるように形成したライン認識バー４０の両端部が係合部３２に摺動自在に挿着されている。これにより、ゴルフ練習者の顔幅に合わせて間隔を容易に調整することができる
【００２６】
図２に示すように、線状支持部材３０の先端部は、伸縮可能部材３１（アンテナ状に伸縮できる部材など）によりゴルフ練習者の視線正面方向に伸縮自在に形成されている。これにより、ゴルフ練習者の目の位置とライン認識バー４０の間の距離を容易に調整することができる。また、ライン認識バー４０の両端部を伸縮可能部材４１（アンテナ状に伸縮できる部材など）により両側方向に伸縮自在に形成されている。これにより、ゴルフ練習者に視覚されるライン方向の直線範囲を容易に調整することができる。なお、線状支持部材３０とライン認識バー４０の材質については、軽量で且つある程度の強度を有するものが適しており、例えば、グラスファイバー、硬質プラスチック、アルミ合金などを採用することができる。
【００２７】
図４は、図１に示すゴルフ練習器具を地面に設置するための台座の一例を示す正面図である。
【００２８】
ゴルフ練習器具を地面に設置する台座１００の両端部には、各耳当接部材１０を装着する一対の係合部１１０が形成されている。これにより、練習器具を身体から離した状態で使用することができる。なお、台座１００の形状・構造については、本実施例で示すものに限定されるものではなく、また、耳当接部材１０の形態に適合するように変更できる。
【００２９】
次に、本発明にかかるゴルフ練習器具の使用方法について説明する。
【００３０】
図５は、本発明にかかるゴルフ練習器具をゴルフ練習者の耳に装着してパター練習を行う状態を示す説明図である。
【００３１】
ゴルフ練習者は、ゴルフ練習器具の耳当接部材１０を両耳に装着し、目標物とボールの直線を視覚で認識できるように、線状支持部材３０を適宜調整して視線角度及び目の位置とライン認識バー４０の間の距離を合わせる。この状態において、ゴルフ練習者は、常に正確なラインを視覚により認識することができ、パッティングラインに対して正しいストロークを身に付けることができる。
【００３２】
図６は、本発明にかかるゴルフ練習器具を台座に装着してパター練習を行う状態を示す説明図である。
【００３３】
ゴルフ練習者は、ゴルフ練習器具の耳当接部材１０を台座１００に装着し、この台座１００をボールからやや離れた正面の位置に設置してボールの上方にライン認識バー４０を配置し、目標物とボールの直線を視覚で認識できるように、ライン認識バー４０の直線方向を合わせる。この状態において、ゴルフ練習者は、常に正確なラインを視覚により認識することができ、パッティングラインに対してスクェアーなストローク練習を行うことができる。
【００３４】
図７は、本発明にかかるゴルフ練習器具を台座に装着してショット練習を行う状態を示す説明図である。
【００３５】
ゴルフ練習者は、ゴルフ練習器具の耳当接部材１０を台座１００に装着し、この台座１００をボールからやや離れた正面の位置に設置し、目標物とボールの直線を視覚で認識できるように、ライン認識バー４０の直線方向を合わせるとともに、線状支持部材３０を適宜調整して視線角度も合わせる。この状態において、ゴルフ練習者は、ショット練習を行うときに、常に正確なラインを視覚により認識することができ、空間でのライン取りに使用することができる。
【図面の簡単な説明】
【００３６】
【図１】本発明にかかるゴルフ練習器具の実施形態の一例を示す斜視図である。
【図２】図１に示すゴルフ練習器具の平面図である。
【図３】図１に示すゴルフ練習器具の側面図である。
【図４】図１に示すゴルフ練習器具を地面に設置するための台座の一例を示す正面図である。
【図５】本発明にかかるゴルフ練習器具をゴルフ練習者の耳に装着してパター練習を行う状態を示す説明図である。
【図６】本発明にかかるゴルフ練習器具を台座に装着してパター練習を行う状態を示す説明図である。
【図７】本発明にかかるゴルフ練習器具を台座に装着してショット練習を行う状態を示す説明図である。
【符号の説明】
【００３７】
１０  耳当接部材
１１  耳当て部
１２  耳掛け部
２０  角度調整部材
２１  基部
２２  回転部
３０  線状支持部材
３１  伸縮可能部材
３２  係合部
４０  ライン認識バー
４１  伸縮可能部材
１００  台座
１１０  係合部
【図１】
2006187389.tif 000003
【図２】
2006187389.tif 000004
【図３】
2006187389.tif 000005
【図４】
2006187389.tif 000006
【図５】
2006187389.tif 000007
【図６】
2006187389.tif 000008
【図７】
2006187389.tif 000009